(57)【特許請求の範囲】
【請求項１】
道路を走行する車両を減速させるために、路面に対して水平に設置され、車両が通過時に自重により降下される降下部と、
前記道路から前記降下部を支える緩衝器より成る支持手段と、
前記降下部が車両に与える衝撃度の変化を制御する制御手段と、
車両の重量を検出する重量検知手段とを具備し、
前記重量検知手段により検知された車両の重量に基づいて、前記制御手段にて最適衝撃度を演算し、前記支持手段である緩衝器の抵抗力を変化させることを特徴とする車両減速ハンプ。
【請求項２】
前記緩衝器として可変オリフィスを用いた油圧緩衝器であることを特徴とする請求項１記載の車両減速ハンプ。
【請求項３】
前記緩衝器として磁性流体を用いた緩衝器であることを特徴とする請求項１記載の車両減速ハンプ。
【請求項４】
特定の車両の存在を検知する特定車両検知手段を具備し、
前記制御手段は前記特定車両検知手段により特定の車両の存在を検知した場合に、前記支持手段である緩衝器の抵抗力を最大とする信号を前記支持手段に出力することを特徴とする請求項１記載の車両減速ハンプ。
【発明の詳細な説明】
【技術分野】
【０００１】
この発明は、低速運転が要求される道路において、車両の走行速度を抑制するために、道路に設置されるハンプ（又はバンプ）に関する。
【背景技術】
【０００２】
ハンプ又はバンプに関する先行技術として、道路の一部を台形状断面となるように盛り上げることによって車両に対して減速を強要する車両減速用バンプの形成方法であって、断面がほぼ直角三角形状の傾斜体を道路方向に沿って前後に間隔をあけて固着し、その前後の傾斜体の垂直面間にアスファルトやコンクリート等の塗装材を充填すると共にその塗装材の上面をほぼ平坦にすることを特徴とするものが開示されている（特許文献１）。これにより、施工に熟練を要さず、施工性が向上し、施工期間が短縮できるとされている。
【０００３】
また、別の先行技術として、ハンプを両側が平坦面で中央を円弧またはサイン曲線カーブまたは台形に膨出させた膨出部とする細長いブロック体に形成し、ハンプ自体をやや硬質のゴムまたは樹脂から成る弾性体で形成するものが開示されている（特許文献２）。これにより、車両が十分に減速してハンプを通過する場合には、車両の加重でハンプ自体即ち弾性体が圧縮されて変形し、車両への衝撃を緩和させることができると共に、減速せずにハンプを通過する場合には、車両に強い衝撃を加えることができるとされている。
【先行技術文献】
【特許文献】
【０００４】
【特許文献１】特開平１１−１３０２９号公報
【特許文献２】特開２００３−４９４１４号公報
【発明の概要】
【発明が解決しようとする課題】
【０００５】
公知のハンプは、その設置される道路から隆起部の最高部までの高さであるハンプ高さが常に一定であったため、様々な車種、状況の変化等に対する適応が不十分であった。上記特許文献２に開示されるハンプは、通過しようとする車両の走行速度に応じて衝撃を変化させようとするものであるが、ハンプによる車両への衝撃は、車両の速度のみならず、その重量にも大きく依存する。また救急車、消防車、パトカー等の緊急車両に対しては、ハンプによる衝撃を与えないことが最も好ましいが、従来のハンプのように、道路に一定のハンプ高さをもって固定された状態では、衝撃を避けることはできない。
【０００６】
そこで、出願人は、これらの不都合を改善するため、様々な車種、状況の変化等に対して適応することができるハンプを提案した（特許文献３）。その構成は、道路に対して隆起するように設置される隆起部２，３と、前記道路から前記隆起部の最高部までの高さであるハンプ高さを変化させる昇隆手段５，６と、所定の条件に基づいて前記昇隆手段５，６を制御する制御手段２５とを具備している。
【特許文献３】特開２００７−３０３２６８号公報
【０００７】
前述の発明は、ハンプの高さを変化させる昇隆手段として、油圧ポンプ、電動モータを用いなければならず、大規模な装置を必要とするため、電力の消費のみならず装置の価格が高く、普及に大きな障害となっていた。
【０００８】
そこで、この発明にあっては、車両に与える衝撃度を可変として様々な車種、状況の変化等に対して適応することができるハンプを提供すること並びに、構造の簡素化、価格の引き下げに寄与することを目的とする。
【課題を解決するための手段】
【０００９】
この発明に係る車両用減速ハンプは、道路を走行する車両を減速させるために、路面に対して水平に設置され、車両が通過時に自重により降下される降下部と、前記道路から前記降下部を支える緩衝器より成る支持手段と、前記降下部が車両に与える衝撃度の変化を制御する制御手段と、車両の重量を検出する重量検知手段とを具備し、前記重量検知手段により検知された車両の重量に基づいて、前記制御手段にて最適衝撃度を演算し、前記支持手段である緩衝器の抵抗力を変化させることを特徴とするものである（請求項１）。これにより道路面に対して水平に設置されるにも拘わらず、通過する車両の自重により降下部の降下によって、最良の衝撃度を与えることができる。例えば、軽量車では、抵抗力を小さくすること、重量車では、抵抗力を大きくすることで可能となるし、救急車、消防車等の緊急車両の通過の際に抵抗力を最大とすることで可能となる。
【００１０】
前記降下部が車両に与える衝撃度の制御は、支持手段である緩衝器の抵抗力を変化させることにより行われる。前記緩衝器として、可変オリフィスを用いた油圧緩衝器（請求項２）が、または磁性流体を用いた緩衝器（請求項３）が用いられている。
【００１１】
前記可変オリフィスを用いた油圧緩衝器は、シリンダとこのシリンダ内に挿入するピストンチューブを有し、前記ピストンヘッド側室には、加圧気体と、これにより加圧された流体が封入され、またピストンチューブ内に前記シリンダに固定のプランジャチューブの摺動部が配されて該摺動部によりピストンチューブ室が形成され、該ピストンチューブ室はストローク形のオリフィスと回転形のオリフィスを介して前記ピストンヘッド側室と連通し、前記回転形のオリフィスを回動することにより圧縮方向の抵抗力が変化される。即ち、外部からの信号に比して緩衝器の抵抗力を任意に変化させることができる。
【００１２】
また、前記磁性流体を用いた緩衝器は、シリンダとこのシリンダ内に挿入するピストンを有し、前記ピストンのヘッド側室と加圧気体にて加圧された室とを連通路にて連通し、前記連通路に磁性材とコイルを配した抵抗可変効果発生用オリフィスを持ち、前記コイルに印加される電流値に比例して磁性流体の粘性抵抗が変化し、この粘性抵抗力により圧縮方向の抵抗力が変化される。即ち、外部からの信号に比して緩衝器の抵抗力を任意に変化させることができる。
【００１５】
さらに、上記請求項１の記載の構成において、特定の車両の存在を検知する特定車両検知手段を具備し、前記制御手段は前記特定車両検知手段により特定の車両の存在を検知した場合に、前記緩衝器の抵抗力を変化させるようにすることが好ましい（請求項４）。これにより、救急車、消防車、パトカー等の緊急車両、その他ハンプの設置者が許可した者の車両が、通過する際には、降下部を用いる場合では、抵抗力を最大として、ハンプを無衝撃状態にすることが可能となる。
【発明の効果】
【００１６】
以上のように、請求項１の発明によれば、降下部の降下方向への抵抗力を可変とすることで、通過する車両に、その重量に比して降下部が降下し、最良の衝撃度を与えることができる（請求項１）。
【００１７】
また、請求項１の降下部が車両に与える衝撃度の制御は支持手段となる緩衝器の抵抗力を変化させることにより行われ、緩衝器は可変オリフィスを用いた油圧緩衝器や磁性流体を用いた緩衝器が用いられることから、油圧式や電動式の可動式ハンプと違い、ハンプを上下させる手段を持たせず、予め封入の加圧気体を用いることから、省エネルギータイプである。即ち、油圧ポンプ、大きな電動機を用いずコンパクトに作られ、且つ信整性を高
くすることができる（請求項２，３）。
【発明を実施するための形態】
【００１８】
以下、この発明の実施例を図面にもとづいて説明する。
【実施例１】
【００１９】
図１において、この実施例１に係る車両減速ハンプ（以下ハンプという）１は、天板２、斜板３、緩衝器４及びコントロールユニット５とより構成され、更にこのハンプ１には車両の走行速度を検知する車速検知手段６、車両の重量を検知する重量検知手段７、受音装置８、受信装置９が備えられている。
【００２０】
天板２及び斜板３は、それぞれ直方形状を有する板状の部材であり、これら天板２と斜板とは、図示しない連絡装置により互いのなす角度を変化可能に連結されている。天板２及び斜板３は、これらの上を車両が通過するものであるため、車両の重量に耐えられる強度を有する素材により構成されなければならない。例えば厚さ２０ｍｍ程の鉄板などが採用される。そして、天板２及び斜板３は、通常時では、緩衝器４により支えられ、路面より突出して隆起部１０を構成している。
【００２１】
そして、前記コントロールユニット５には、前記車速検知手段６、重量検知手段７、受音装置８、受信装置９からの信号が入力され、所定のソフトに従って処理され、前記天板２を支える緩衝器４へ所望の電気信号が出力される。このハンプ１の特徴は、当出願人の提案の可動ハンプの特許文献３に比して、隆起部１０のハンプ高が一定である点であり、衝撃度はハンプ１を支えている緩衝器４の抵抗力を変化させることで行われている。
【００２２】
図２において、隆起部１０である天板２を支える緩衝器４は、圧油を用いるタイプで、シリンダ１５にピストンチューブ１６が嵌挿されており、ピストンヘッド側室１７には加圧気体で加圧付勢の圧油が封入されている。ピストンチューブ１６内には、その凹部２０に前記シリンダ１５に固定のプランジャチューブ１９の摺動部２１が挿入されている。そのために、凹部２０と摺動部２１とでピストンチューブ室２３が形成されている。
【００２３】
ピストンチューブ室２３は、前記ピストンヘッド側室１７とは、２つのルートで連通されている。１つは前記摺動部２１に形成のストローク形のオリフィス２４により、外の１つは前記ピストンチューブ室２３内に設けられ、該ピストンチューブ１６に固着の中空調整円錐筒２５よりそれぞれ圧油が流動する。
【００２４】
前記中空調整円錐筒２５は、外面が円錐に形成され、前記プランジャチューブ１９の摺動部２１との相対的な位置関係により、ストローク形のオリフィス２４の断面積が変化し、流量が変化され作用を司ると共に、その中空部２６は一端が前記ピストンヘッド側室１７に入り込み、基端が前記ピストンチューブ１６に固着されている。
【００２５】
この中空調整円錐筒２５内には、回転形のオリフィス３０を構成する制御筒２８が嵌入され、この制御筒２８にオリフィス孔２９ａが形成され、前記中空調整円錐筒２５に形成のオリフィス孔２９ｂとにより、回転することで断面積を変化せしめ、流量を制御している。前記制御筒２８は回転させる手段を持っており、具体的にはモータ３１が採用され、その回転力が軸３２を介して伝えられている。このモータ３１は、コントロールユニット５より制御信号が入力され、その入力信号に応じて制御筒２８が回転され、断面積を変化させて通過する流量が制御される。
【００２６】
なお、３４はロッドで、前記した天板２の下面に固着されている。また３５は前記プランジャチューブ１９に形成の貫通孔で、流体（圧油）及び気体が通過する圧力均等用のものである。
【００２７】
上述の構成において、可変オリフィスを用いた緩衝器４がハンプ１に採用されると、ロッド３４が天板２を下面から支えることになる。緩衝器４は加圧気体にて、内部の圧油を加圧していることから、緩衝器４はその長手方向が最大長となって図２のようになり、天板２を押し上げて、隆起部１０のハンプ高が一定の高さとなっている。
【００２８】
車両がハンプ１に差し掛かると、車両の車速検知手段６により車速が検知され、重量検知手段７により重量が検知され、受音装置８によりサイレン等を検知されまた受信装置９により特定の信号が受信され、これらの検知信号は、コントロールユニット５に入力され、車両の速度、重量等から、コントロールユニット５内で所定のプログラムに従って処理され、緩衝器４に制御信号が出力される。この制御信号によりモータ３１が回転され、回転形のオリフィス３０の開度（開口断面積）が決定される。
【００２９】
したがって、車両がハンプ１の隆起部１０に乗り上げ時に、ピストンチューブ室２３内の圧油には、ロッド３４を介して車両の重量、速度に比した力が加えられるが、最適な衝撃が加えられるように、圧油の流動が制御され、緩衝器４のロッドに最適な抵抗力となって表れる。したがって、この緩衝器４を採用することで、隆起部１０のハンプ高を上げ下げすることなく、抵抗力の可変にて車両に最適な衝撃を与えることができる。
【００３０】
なお、救急車などの緊急車両にあっては、受音装置８や受信装置９からの信号により、抵抗力を最小とするように、回転形のオリフィス３０の開度（開口断面積）が決定される。したがって、ハンプ１上を衝撃なくスムーズに走行することができる。
【００３１】
前記実施例の緩衝器４には、中空調整円錐筒２５の変位によるストローク形のオリフィスが設けられているが、図３に示すように、これを除外して中空円筒２５′とすることで、ストローク形のオリフィスをなくし、固定のオリフィス２４′として、回転形のオリフィス３０の開度（開口面積）による流量制御のみとしている。その他の部分は前記実施例と同一のため、同一又は均等部分は同一の符号を付して説明を省略している。これによっても、ハンプ高を上げ下げすることなく、流量の制御による抵抗力の可変にて車両に最適な衝撃を与えることができる。
【００３２】
図４において、隆起部１０である天板２を支える緩衝器４は、磁性流体を用いたタイプで、シリンダ４２が縦方向に配され、その内部にピストン４４が摺動自在に挿入され、該ピストン４４には、ピストンロッド４５が固着され、前記シリンダ４２より外部へ突出している。このピストン４４の前後にピストンヘッド側室４９とピストンロッド側室６３とを形成している。
【００３３】
また前記シリンダ４２には、周囲壁に長手方向に適宜な間隙をあけて多数のオリフィス孔４６が形成され、この多数のオリフィス孔４６と前記ピストン４４とにより面積可変オリフィス４７が構成される。前記ピストン４４と多数のオリフィス４６との関係は、ピストン４４が最も押し込まれてピストンヘッド側室４９の容積を最小とする時でも、該ピストンの後端を越えないように構成されている。
【００３４】
粘性可変流体の通路５２は、前記シリンダ４２とその外周に設けられた磁性材より成る中間筒５３との間及び中間筒５３とその外側に配されるケース５４の間とより成り、前記中間筒５３は、径寸法を交互に変更することで、凹部５５ａと凸部５５ｂが多数連続的に縦方向に形成している。
【００３５】
前記凹部５５ａには、コイル５７が配され、また前記凸部５５ｂは、前記ケース５４との間で絞り作用を有する隙間が多数形成されている。この隙間の寸法は実験の結果から得られる。この隙間は粘性可変流体により抵抗可変効果発生用オリフィス５９となっている。
【００３６】
また、前記粘性可変流体の通路５２は、一方を前記オリフィス孔４６と連通し、他方をシリンダ４２の下方で該シリンダ４２に延設の加圧気体室６１とピストン６２を介して圧力が伝えられる加圧された室６０と連通している。この加圧気体にて付加された室６０は、加圧気体が粘性可変流体（ＭＲ流体）に圧力を加える作用をしている。即ち、加圧気体は、ピストン４４を上方へ動かす復元ばね作用をしている。
【００３７】
粘性可変流体の通路５５中を流れる粘性可変流体は、コイル５７に電流を印加することで励磁され、その粘性を変化させることができ、例えばＭＲ流体である。即ち、この通路５２の抵抗可変効果発生用オリフィス５９を通る際には大きな抵抗力が発生する。この抵抗力は、電流値の増加により増加する関係となっている。
【００３８】
コイルに印加する電流は、外部に設けられたコントロールユニット５から出力され、このコントロールユニット５の出力は、種々の検出器６，７，８，９から入力される情報信号の値によって変化される。なお、ピストンロッド側室６３は、孔６４を介して前記通路５２に連通している。
【００３９】
上述の構成において、磁性流体を用いた緩衝器４がハンプ１に採用されると、ピストンロッド４５が天板２を下面から支えることになる。緩衝器４は加圧気体にて、内部の磁性流体を加圧していることから、緩衝器４はその長手方向が最大長となって図３のようになり、天板２を押し上げてハンプ高が一定の高さとなっている。
【００４０】
車両がハンプ１に差し掛かると、車両の車速検知手段６により車速が検知され、重量検知手段７により重量が検知され、受音装置８によりサイレン等を検知されまた受信装置９により特定の信号が受信され、これらの検知信号は、コントロールユニット５に入力され、車両の速度、重量等から、コントロールユニット５内で所定のプログラムに従って処理され、緩衝器４に制御信号が出力される。この制御信号によりコイルに発生する磁気力が制御され、磁気流体の粘性抵抗が変化し、この粘性抵抗力により圧縮方向の抵抗力が変化される。
【００４１】
したがって、車両がハンプの隆起部１０に乗り上げた時に、ピストンヘッド側室４９内に入っていた粘性可変流体は、まず面積可変オリフィス４７において動圧による抵抗力が発生すること、そして粘性可変流体の通路５２を通ることで、自らの粘性抵抗により、抵抗力が発生する。
【００４２】
ピストンロッド４５を介して車両の重量、速度に比した力が加えられるが、最適な衝撃が加えられるように、磁性流体の粘性の流動が制御され、緩衝器４のロッドに最適な抵抗力となって表れる。したがって、この緩衝器４を採用することで、ハンプ高を上げ下げすることなく、抵抗力の可変にて車両に最適な衝撃を与えることができる。
【００４３】
なお、救急車などの緊急車両にあっては、受音装置８や受信装置９からの信号により、抵抗力を最小とするように、コイル５７への電流値が決定される。したがって、ハンプ１上を衝撃なくスムーズに走行することができる。なお、この実施例の緩衝器４には、面積可変形のオリフィス４７を設けているがこれを除外しても磁性流体の粘性の制御から緩衝器４の抵抗力の制御ができることは勿論である。
【実施例２】
【００４４】
図５において、この実施例２に係る車両減速ハンプ（以下ハンプという）１は、天板２、斜板３、緩衝器４及びコントロールユニット５とより構成され、更にこのハンプ１には車両の走行速度を検知する車速検知手段６、車両の重量を検知する重量検知手段７、受音装置８、受信装置９が備えられている。
【００４５】
天板２及び斜板３は、それぞれ直方形状を有する板状の部材であり、これら天板２と斜板３とは、図示しない連絡装置により互いのなす角度を変化可能に連結されている。天板２及び斜板３は、これらの上を車両が通過するものであるため、車両の重量に耐えられる強度を有する素材により構成されなければならない。例えば厚さ２０ｍｍ程の鉄板などが採用される。そして、天板２及び斜板３は、通常時では、緩衝器４により支えられ、路面に面一に設置され、車両が載ると降下する降下部１１となっている。
【００４６】
そして、前記コントロールユニット５には、前記車速検知手段６、重量検知手段７、受音装置８、受信装置９からの信号が入力され、所定のソフトに従って処理され、前記天板２を支える緩衝器４へ所望の電気信号が出力される。このハンプ１の特徴は、前記実施例１に比して車両が載ると降下部１１が降下して衝撃を与える点である。
【００４７】
降下部１１である天板２を支える緩衝器４は、圧油を用いるタイプで、図６に示す構造のものが用いられる。この緩衝器４は、前記実施例１の図３に示す例に対して固定オリフィス２４をなくして、オイルシール３６を設けている点のみ相違している。前述の図３の例のものを用いると、救急車などの緊急車両の通過時に、オリフィス２４を介して圧油が流れて天板２は降下することになり、少なからず衝撃を与えることになる。
【００４８】
これでは、緊急車両がスムーズに走行することができなくなるため、オイルシール３６を設けて回転形のオリフィス３０の開度が０の際に、ピストンチューブ室２３からの圧油の流出を無くして、降下部１１が路面に対し面一状態が維持されるようになる。その他の部分は図３に示す緩衝器４と同一のため、図面に同一の番号を付し、説明を省略するが、詳細は段落００２２から段落００２６までに記述されている。
【００４９】
上述の構成において、可変オリフィスを用いた緩衝器４がハンプ１に採用されると、ロッド３４が天板２を下面から支えることになる。緩衝器４は加圧気体にて、内部の圧油を加圧していることから、緩衝器４はその長手方向が最大長となって図５のようになり、天板２を押し上げて、路面に対して面一となっている。
【００５０】
車両がハンプ１に差し掛かると、車両の車速検知手段６により車速が検知され、重量検知手段７により重量が検知され、受音装置８によりサイレン等を検知されまた受信装置９により特定の信号が受信され、これらの検知信号は、コントロールユニット５に入力され、車両の速度、重量等から、コントロールユニット５内で所定のプログラムに従って処理され、緩衝器４に制御信号が出力される。この制御信号によりモータ３１が回転され、回転形のオリフィス３０の開度（開口断面積）が決定される。
【００５１】
したがって、車両がハンプ１に載った時に、ピストンチューブ室２３内の圧油には、ロッド３４を介して車両の重量、速度に比した力が加えられるが、最適な衝撃が加えられるように、圧油の流動が制御される。即ち、例えば軽量車では、抵抗は小さく、逆に重量車では、抵抗は大きくし、降下部１１の降下速度を調節して、車両に最適な衝撃を与えることができる。
【００５２】
なお、救急車などの緊急車両にあっては、受音装置８や受信装置９からの信号により、抵抗力を最小とするように、回転形のオリフィス３０の開度（開口断面積）を０に決定される。したがって、ハンプ１は路面に対しては面一あるから、その上を衝撃なくスムーズに走行することができる。なお、緩衝器４は、前述した実施例１に示した、磁性流体を用いるタイプでも良く、その詳細は段落００３２から段落００４３までに記述されている。
【図面の簡単な説明】
【００５３】
【図１】この発明の実施例１に係る車両減速ハンプの設置状態を示す概略図である。
【図２】緩衝器として可変オリフィスを用いた油圧緩衝器の断面図である。
【図３】緩衝器として可変オリフィスを用いた油圧緩衝器の変形例の断面図である。
【図４】緩衝器として磁性流体を用いた緩衝器の断面図である。
【図５】この発明の実施例２に係る車両減速ハンプの設置状態を示す概略図である。
【図６】前記実施例２に用いられる緩衝器の断面図である。
【符号の説明】
【００５４】
１      ハンプ
２      天板
３      斜板
４      緩衝器
５      コントロールユニット
６      車速検知手段
７      重量検知器
８      受音装置
９      受信装置
１０    隆起部
１１    降下部
１５    シリンダ
１６    ピストンチューブ
１７    ピストンヘッド側室
２３    ピストンチューブ室
２４    ストローク形のオリフィス
２５    中空調整円錐筒
２６    中空部
２８    制御筒
３０    回転形のオリフィス
３１    モータ
３４    ロッド
４２    シリンダ
４４    ピストン
４５    ピストンロッド
４７    面積可変オリフィス
４９    ピストンヘッド側室
５２    粘性可変流体の通路
５７    コイル
５９    抵抗可変効果発生用オリフィス
６１    加圧気体室
【図１】
0005467699.tif 000002
【図２】
0005467699.tif 000003
【図３】
0005467699.tif 000004
【図４】
0005467699.tif 000005
【図５】
0005467699.tif 000006
【図６】
0005467699.tif 000007